(57)【要約】【課題】本発明は、創傷治癒を改善するための装置を提供することを目的とする。【解決手段】電気刺激による創傷治癒用パッドであって、創傷上に配置されるように構成されたパッド、前記創傷に接触するように前記パッド上に配置された少なくとも１つの陽極、及び前記創傷に接触するように前記パッド上に配置された少なくとも１つの陰極であって、少なくとも１つの陽極とは別個に配置されている少なくとも１つの陰極を含む。上記パッドは、前記少なくとも１つの陽極と前記少なくとも１つの陰極は、前記創傷と接触して、前記少なくとも１つの陽極と前記少なくとも１つの陰極の別々の位置に基づいて創傷を通るように意図された方向で電流を提供する。【選択図】図１
2020199271.tif 000002
【特許請求の範囲】
【請求項１】
電気刺激による創傷治癒用パッドであって、
創傷上に配置されるように構成されたパッド；
前記創傷に接触するように前記パッド上に配置された少なくとも１つの陽極；及び
前記創傷に接触するように前記パッド上に配置された少なくとも１つの陰極であって、少なくとも１つの陽極とは別個に配置されている少なくとも１つの陰極
を含み、ここで、前記少なくとも１つの陽極と前記少なくとも１つの陰極は、前記創傷と接触して、前記少なくとも１つの陽極と前記少なくとも１つの陰極の別々の位置に基づいて創傷を通るように意図された方向で電流を提供する上記パッド。
【請求項２】
前記パッドが、ガーゼパッド及びガーゼロールのうちの少なくとも１つを含む、請求項１に記載の電気刺激による創傷治癒用パッド。
【請求項３】
前記少なくとも１つの陽極と前記少なくとも１つの陰極は、２つ以上の別個の軟膏に別々に浸される（ｄｅｐｏｓｉｔ）、請求項１に記載の電気刺激による創傷治癒用パッド。
【請求項４】
前記２つ以上の軟膏が、スルファジアジン銀クリーム及びカラミンローションを含む、請求項３に記載の電気刺激による創傷治癒用パッド。
【請求項５】
前記スルファジアジン銀クリームが、１％スルファジアジン銀クリームを含む、請求項４に記載の電気刺激による創傷治癒用パッド。
【請求項６】
前記カラミンローションが、所定量の酸化亜鉛及び所定量の酸化鉄を含む、請求項４に記載の電気刺激による創傷治癒用パッド。
【請求項７】
前記少なくとも１つの陽極と前記少なくとも１つの陰極が、２つ以上の異なる金属ワイヤを介して前記パッド内に織り込まれている、請求項１に記載の電気刺激による創傷治癒用パッド。
【請求項８】
電気刺激による創傷治癒用の粘着性包帯であって、
創傷上に配置されるように構成されたパッド；
前記創傷に接触するように前記パッド上に配置された少なくとも１つの陽極；
前記創傷に接触するように前記パッド上に配置された少なくとも１つの陰極であって、少なくとも１つの陽極とは別個に配置されている少なくとも１つの陰極；及び
前記バッドに取り付けられ、皮膚に接着するように構成された少なくとも１つの接着層
を含み、ここで、前記少なくとも１つの陽極と前記少なくとも１つの陰極は、前記創傷と接触して、前記少なくとも１つの陽極と前記少なくとも１つの陰極の別々の位置に基づいて創傷を通るように意図された方向で電流を提供する上記粘着性包帯。
【請求項９】
前記パッドが、ガーゼパッド及びガーゼロールのうちの少なくとも１つを含む、請求項８に記載の電気刺激による創傷治癒用の粘着性包帯。
【請求項１０】
前記少なくとも１つの陽極と前記少なくとも１つの陰極が、２つ以上の別個の軟膏に別々に浸される、請求項１に記載の電気刺激による創傷治癒用の粘着性包帯。
【請求項１１】
前記２つ以上の軟膏が、スルファジアジン銀クリーム及びカラミンローションを含む、請求項１０に記載の電気刺激による創傷治癒用の粘着性包帯。
【請求項１２】
前記スルファジアジン銀クリームが、１％スルファジアジン銀クリームを含む、請求項１１に記載の電気刺激による創傷治癒用の粘着性包帯。
【請求項１３】
前記カラミンローションが、所定量の酸化亜鉛及び所定量の酸化鉄を含む、請求項１１に記載の電気刺激による創傷治癒用の粘着性包帯。
【請求項１４】
前記少なくとも１つの陽極と前記少なくとも１つの陰極が、２つ以上の異なる金属ワイヤを介して前記パッド内に織り込まれている、請求項８に記載の電気刺激による創傷治癒用の粘着性包帯。
【発明の詳細な説明】
【技術分野】
【０００１】
関連出願の相互参照
本出願は、２０１４年１２月１７日に出願されたＢＵＮＤＡＧＥ  ＦＯＲ  ＩＭＰＲＯＶＥＤ  ＷＯＵＮＤ  ＨＥＡＬＩＮＧと題する米国仮出願第６２／０９３，１４３号に対する優先権を主張し、その全内容は参照により本明細書に組み込まれる。
【背景技術】
【０００２】
本明細書において提供される「背景」の記載は、本開示の文脈を一般的に提示するためのものである。本願発明者の仕事は、この背景技術の項に記載されている限りにおいて、出願時の先行技術として認められなかった記述の態様と同様に、明示的にも黙示的にも本開示に対する従来技術として認められない。
【０００３】
研磨性皮膚創傷、皮膚生検部位などのケアは、典型的には、その領域を過酸化物で洗浄すること、抗生物質軟膏を適用すること、および包帯で覆うことを含む。包帯は、ガーゼ部分によって分離された２つの接着部分を有するバンドアイド（ＢＡＮＤ−ＡＩＤ）ブランドの包帯などの粘着性包帯であり得る。ケアの別の方法は、皮膚創傷に電流を印加することを含むことができる。
【０００４】
皮膚創傷への電流の印加は、創傷の治癒を改善することができることが知られている。しかしながら、皮膚への電流の印加は、電池および接続ワイヤの使用を伴う場合がある。電池及び接続ワイヤを使用することは、特に外来患者などの患者に対して、創傷を治療する際に煩わしいことがある。
【発明の概要】
【０００５】
例示的な態様において、電気刺激による創傷治癒用パッドであって、創傷上に配置されるように構成されたパッド、前記創傷に接触するように前記パッド上に配置された少なくとも１つの陽極、及び前記創傷に接触するように前記パッド上に配置された少なくとも１つの陰極であって、少なくとも１つの陽極とは別個に配置されている少なくとも１つの陰極を含む。上記パッドは、前記少なくとも１つの陽極と前記少なくとも１つの陰極は、前記創傷と接触して、前記少なくとも１つの陽極と前記少なくとも１つの陰極の別々の位置に基づいて創傷を通るように意図された方向で電流の流れを提供する。
【０００６】
例示的な実施形態の前述の一般的な説明および以下の詳細な説明は、本開示の教示の例示的な態様に過ぎず、限定的ではない。
【０００７】
本開示およびそれに付随する多くの利点のより完全な理解は、添付の図面に関連して考慮される場合、以下の詳細な説明を参照することによってよりよく理解されるように容易に得られるであろう。
【図面の簡単な説明】
【０００８】
【図１】図１は、特定の態様による軟膏を含むパッドの例示的な図である。
【図２】図２は、ある態様による金属ワイヤを含むパッドの例示的な図である。
【図３】図３は、ある態様による軟膏を含む粘着性包帯の例示的な図である。
【図４】図４は、特定の態様による金属ワイヤを含む粘着性包帯の例示的な図である。
【発明を実施するための形態】
【０００９】
図面において、同じ参照番号は、いくつかの図を通して同一または対応する部分を示す。さらに、本明細書で使用するとき、単語「１つの（ａ）」、「１つの（ａｎ）」および「その（ｔｈｅ）」は、他に記載がない限り、一般的に「１つ以上」または「少なくとも１つ」の意味を有する。さらに、「約（ａｐｐｒｏｘｉｍａｔｅｌｙ）」、「約（ａｐｐｒｏｘｉｍａｔｅ）」、「約（ａｂｏｕｔ）」および類似の用語は、一般的に、２０％、１０％、または好ましくは５％のマージン内の特定された値およびそれらの間の任意の値を含む範囲を指す。
【００１０】
図１は、特定の態様による軟膏を含むパッド１００の例示的な図である。軟膏を含むパッド１００は、パッド１０２、陽極１０４、及び陰極１０６を含む。パッド１０２は、パッド１０２に配置された１つ以上の陽極１０４および１つ以上の陰極１０６を含むことができる。パッド１０２は、皮膚創傷、皮膚生検などをカバーするために創傷に配置され得る。パッド１０２は、ガーゼ、メッシュ、スポンジ、目の粗い織物、および既知の外科用包帯の任意の組み合わせを含むことができる。本開示の特定の態様において、パッド１０２は、緩く織られた綿からなり、医療用包帯として使用されている。例えば、パッド１０２はガーゼパッドであってもよい。別の例では、パッド１０２は、ガーゼの所定の部分を有するガーゼのロールであり得て、ガーゼの各セクションは、１つ以上の陽極１０４および１つ以上の陰極１０６を含む。ガーゼのロールは、各所望のセクションの始めと終わりの視覚的補助を提供するためのミシン目を含むことができる。いくつかの態様では、パッド１０２は、創傷自体に付着しない創傷の包帯を提供する。
【００１１】
陽極１０４および陰極１０６は、パッド１０２で別個の位置に配置される。陽極１０４は、１つ以上の陽極１０４であり得て、パッド１０２の特定の位置に固定され得る。陰極１０６は、１つ以上の陰極１０６であり得て、パッド１０２の特定の位置に固定され得る。陽極１０４および陰極１０６は、創傷に接触して配置されて、創傷を通るように意図された方向で電流の流れを提供することができる。電流の流れは、陽極１０４および陰極１０６の固定された別個の位置に基づいて導くことができる。電流は、創傷を通って陽極１０４と陰極１０６の間を流れることができる。創傷を通る電流の流れは、創傷の皮膚への電流の適用による創傷の改善された治癒を引き起こし得る。例えば、陽極１０４と陰極１０６の間の電流の流れによる創傷の電気刺激は、創傷の幹細胞を移動させ、より容易に分裂させ、より速い速度で分化させて、創傷の治癒を改善することができる。
【００１２】
陽極１０４と陰極１０６は、それぞれ金属イオンを含むことができる。陽極１０４の金属イオンは、陰極１０６の金属イオンとは異なる。陽極１０４および陰極１０６は、それぞれ２つ以上の別個の局所薬剤の形態で金属塩としてそれぞれ別々に浸す（ｄｅｐｏｓｉｔ）ことができる。局所薬物は、軟膏、ローション、クリーム、ゲルなどを含むことができる。本開示の特定の態様において、陽極１０４および陰極１０６は、２つの別個の軟膏に浸される。陽極１０４は、カラミンローションなどの軟膏に浸すことができる。カラミンローションは、酸化亜鉛および酸化鉄などの金属イオンを含むことができる。カラミンローションは、所定量の酸化亜鉛および所定量の酸化鉄を含むことができる。陰極１０６は、１％スルファジアジン銀クリーム（ＳＳＤ）などの軟膏中に浸すことができる。ＳＳＤおよびカラミンローションを含む軟膏は、各軟膏中の電解質の存在の結果として、金属イオン間の電流の流れを促進するために利用される。カラミンローションおよびＳＳＤのそれぞれに存在する電解質に起因して、電流は、カラミンローションおよびＳＳＤが、パッド３０２の中間層によって分離されて互いに異なる位置に配置されるため、創傷を介してカラミンローションとＳＳＤの間を流れることができる。
【００１３】
陽極１０４および陰極１０６は、パッド１０２中の別個の軟膏を介して、パッド１０２上に、またはその両方を介して浸すことができる。別個の軟膏は、ランダムな、対称パターン、非対称パターンなどである位置でパッド１０２に浸すことができる。例えば、陽極１０４は、円形パターンでパッド１０２に第１の軟膏として浸すことができる。陰極１０６は、陽極１０４の内側境界内の円形パターンでパッドに第２の軟膏として浸すことができる。第１の軟膏および第２の軟膏は、パッド１０２の円形パターンによって分離することができ、そのため、第１の軟膏及び第２の軟膏は互いに分離される。別の例では、陽極１０４は、パッド１０２の第１の端部のラインに第１の軟膏として浸すことができる。陰極は、第１の端部と対向するパッド１０２の第２の端部のラインに第２の軟膏として浸すことができる。次に、第１の軟膏および第２の軟膏が創傷と接触すると、電流の流れが提供される。
【００１４】
電流は、創傷滲出液を介して、第１の軟膏と第２の軟膏の間を流れることができる。いくつかの態様では、電流は、第１の軟膏を第２の軟膏に接続する金属ワイヤを介して、第１の軟膏と第２の軟膏の間を流れることができる。他の態様では、電流は、第２の軟膏に接触する第１の軟膏を介して、第１の軟膏と第２の軟膏の間を流れることができる。第１の軟膏の電解質、第２の軟膏の電解質、第１の軟膏の陽極１０４、第２の軟膏の陰極１０６、および創傷は、陽極１０４と陰極１０６の間に、創傷を通るように意図された方向で、創傷を介して電流を流れるようにする。
【００１５】
図２は、特定の態様による金属ワイヤ２００を含むパッドの例示的な図である。金属ワイヤ２００を含むパッドは、パッド２０２、陽極２０４、及び陰極２０６を含む。パッド２０２は、パッド１０２に配置された１つ以上の陽極２０４及び１つ以上の陰極２０６を含むことができる。パッド２０２は、皮膚創傷、皮膚生検などをカバーするために創傷に配置することができる。パッド２０２は、ガーゼ、メッシュ、スポンジ、目の粗い織物、および既知の外科用包帯の任意の組み合わせを含むことができる。本開示の特定の態様において、パッド２０２は、緩く織られた綿からなり、医療用包帯として使用される。例えば、パッド２０２は、ガーゼパッドであってもよい。別の例では、パッド２０２は、ガーゼの所定の部分を有するガーゼのロールであってもよく、ガーゼの各部分は、１つ以上の陽極２０４及び１つ以上の陰極２０６を含む。ガーゼのロールはミシン目を含み、それぞれの所望の部分の最初と最後に視覚的補助を提供することができる。いくつかの態様では、パッド２０２は、創傷自体に接着しない創傷の包帯を提供する。
【００１６】
陽極２０４および陰極２０６は、パッド２０２の別個の位置に配置される。陽極２０４は、１つ以上の陽極２０６であり得て、パッド２０２に特定の位置で固定され得る。陰極１０６は、１つ以上の陰極１０６であり得て、パッド２０２に特定の位置で固定され得る。陽極２０４および陰極２０６は、創傷に接触して配置されて、創傷を通るように意図された方向で電流の流れを提供することができる。電流の流れは、陽極２０４及び陰極２０６の固定された別個の位置に基づいて指向ことができる。電流は、創傷を介して陽極２０４と陰極２０６の間を流れることができる。創傷を通る電流の流れは、創傷の皮膚への電流の適用による創傷の改善された治癒を引き起こし得る。例えば、陽極２０４と陰極２０６の間の電流の流れによる創傷の電気刺激は、創傷の幹細胞を移動させ、より容易に分裂させ、より速い速度で分化させて、創傷の治癒を改善することができる。
【００１７】
陽極２０４と陰極２０６は、それぞれ金属材料を含むことができる。陽極２０４の金属材料は、陰極２０６の金属材料とは異なる。陽極２０４と陰極２０６は、それぞれ、２つ以上の別個の種類の金属ワイヤに含まれることができる。本開示の特定の態様において、陽極２０４および陰極２０６は、パッド２０２の中間層によって分離される２つの別個の種類の金属ワイヤを介してパッド２０２に織り込まれる。創傷は、創傷の表面から滲出する流体を介して２つの別個の種類の金属ワイヤを接続することができる。創傷の表面から滲出する流体は、２つの別個の種類の金属ワイヤ間の回路を完成させることができ、陽極２０４（単数又は複数）を含む第１の種類の金属ワイヤと、陰極２０６（単数又は複数）を含む第２の種類の金属ワイヤの間に電流の流れを提供することができる。
【００１８】
２つの種類の別個の金属ワイヤは、ランダムな、対称パターン、非対称パターンなどの位置でパッド２０２に織り込むことができる。例えば、陽極２０４は、円形パターンでパッド２０２に第１の種類の金属ワイヤとして提供され得る。陰極２０６は、陽極２０４の内側境界内の円形パターンでパッド２０２に第２の種類の金属線として提供され得る。第１の種類の金属ワイヤの各金属ワイヤは、パッド２０２の部分によって互いに分離され得る。したがって、各第１の種類の金属ワイヤは、他の第１の種類の金属ワイヤとは異なる位置に固定される。第２の種類の金属ワイヤの各金属ワイヤは、パッド２０２の部分によって互いに分離することができる。したがって、各第２の種類の金属ワイヤは、他の第２の種類の金属ワイヤとは異なる位置に固定される。さらに、第１の種類の金属ワイヤは、第２の種類の金属ワイヤに直接接触しない。
【００１９】
別の例では、陽極２０４は、パッド２０２の第１の端部の長さに沿ったラインで、第１の種類の金属ワイヤとして提供することができる。陰極２０６は、第１の端部と対向する、パッド２０２の第２の端部の長さに沿ったラインで、第２の種類の金属ワイヤとして提供することができる。第１の種類の金属ワイヤの各金属ワイヤは、パッド２０２の部分によって互いに分離することができる。したがって、各第１の種類の金属ワイヤは、他の第１の種類の金属ワイヤとは異なる位置に固定される。第２の種類の金属ワイヤの各金属ワイヤは、パッド２０２の部分によって互いに分離することができる。したがって、各第２の種類の金属ワイヤは、他の第２のタイプの金属ワイヤとは異なる位置に固定される。第１の種類の金属ワイヤのラインは、パッド１０２の部分によって第２の種類の金属ワイヤのラインから分離される。次に、第１の種類の金属ワイヤと第２の種類の金属ワイヤが、両方とも、創傷から滲出する流体と接触しているが、互いに接触していない場合に、電流の流れが提供される。創傷から滲出する流体、陽極２０４（単数又は複数）を含む第１の種類の金属ワイヤ、および陰極２０６を含む第２の種類の金属ワイヤは、陽極２０４（単数又は複数）と陰極２０６（単数又は複数）の間の創傷を通るように意図された方向で創傷を通じて電流を流すことができる。
【００２０】
図３は、特定の態様による軟膏３００を含む粘着性包帯の例示的な図である。軟膏３００を含む粘着性包帯は、パッド３０２、陽極３０４、陰極３０６、および接着剤層３０８を含む。パッド３０２は、パッド３０２に位置する１つ以上の陽極３０４および１つ以上の陰極３０６を含むことができる。パッド３０２は、少なくとも１つの接着剤層３０８に接着することができる。パッド３０２は、皮膚の創傷、皮膚生検などを覆うように創傷に配置することができる。パッド３０２は、接着剤剤層３０８を利用して、軟膏３００を含む粘着性包帯を皮膚に接着させることができる。パッド３０２は、ガーゼ、メッシュ、スポンジ、目の粗い織物、および既知の外科用包帯の任意の組み合わせを含むことができる。本開示の特定の態様において、パッド３０２は、緩く織られた綿からなり、医療用包帯として使用される。例えば、パッド３０２は、ガーゼパッドであってもよい。別の例では、パッド３０２は、ガーゼの所定の部分を有するガーゼのロールとすることができ、ガーゼの各部分は、１つ以上の陽極３０４と１つ以上の陰極３０６を含む。ガーゼのロールは、各所望のセクションの始めと終わりの視覚的補助を提供するためのミシン目を含むことができる。パッド３０２は、創傷の包帯を提供し、創傷と直接接触する。
【００２１】
陽極３０４および陰極３０６は、軟膏３００を含む粘着性包帯のパッド３０２で別個の位置に配置される。陽極３０４は、１つ以上の陽極３０４であり得て、パッド３０２の特定の位置に固定され得る。陰極３０６は、１つ以上の陰極３０６であり得て、パッド３０２の特定の位置に固定され得る。陽極３０４および陰極３０６は、創傷に接触して配置されて、創傷を通るように意図された方向で電流の流れを提供することができる。電流の流れは、陽極３０４および陰極３０６の固定された別個の位置に基づいて導くことができる。電流は、創傷を通って陽極３０４と陰極３０６の間を流れることができる。創傷を通る電流の流れは、創傷の皮膚への電流の適用による創傷の改善された治癒を引き起こし得る。例えば、陽極３０４と陰極３０６の間の電流の流れによる創傷の電気刺激は、創傷の幹細胞を移動させ、より容易に分裂させ、より速い速度で分化させて、創傷の治癒を改善することができる。
【００２２】
陽極３０４と陰極３０６は、それぞれ金属イオンを含むことができる。陽極３０４の金属イオンは、陰極３０６の金属イオンとは異なる。陽極１０４および陰極１０６は、それぞれ２つ以上の別個の局所薬剤の形態で金属塩としてそれぞれ別々に浸すことができる。局所薬物は、軟膏、ローション、クリーム、ゲルなどを含むことができる。本開示の特定の態様において、陽極３０４および陰極３０６は、２つの別個の軟膏に浸される。陽極３０４は、カラミンローションなどの軟膏に浸すことができる。カラミンローションは、酸化亜鉛および酸化鉄などの金属イオンを含むことができる。カラミンローションは、所定量の酸化亜鉛および所定量の酸化鉄を含むことができる。陰極１０６は、１％スルファジアジン銀クリーム（ＳＳＤ）などの軟膏中に浸すことができる。ＳＳＤおよびカラミンローションを含む軟膏は、各軟膏中の電解質の存在を利用して、金属イオン間の電流の流れを促進する。カラミンローションおよびＳＳＤのそれぞれに存在する電解質に起因して、電流は、カラミンローションおよびＳＳＤが、パッド３０２の中間層によって分離されて互いに異なる位置に配置されるため、創傷を介してカラミンローションとＳＳＤの間を流れることができる。
【００２３】
陽極３０４および陰極３０６は、パッド３０２中の別個の軟膏を介して、パッド１０２上に、またはその両方を介して浸すことができる。別個の軟膏は、ランダムな、対称パターン、非対称パターンなどである位置で、軟膏３００を含む粘着性包帯のパッド１０２に浸すことができる。例えば、陽極３０４は、円形パターンでパッド３０２に第１の軟膏として浸すことができる。陰極３０６は、陽極３０４の内側境界内の円形パターンでパッド３０２に第２の軟膏として浸すことができる。第１の軟膏および第２の軟膏は、パッド３０２の円形パターンによって分離することができ、そのため、第１の軟膏は第２の軟膏とは分離される。別の例では、陽極３０４は、パッド３０２の第１の端部のラインに第１の軟膏として浸すことができる。陰極は、第１の端部と対向するパッド３０２の第２の端部のラインに第２の軟膏として浸すことができる。次に、第１の軟膏および第２の軟膏が創傷と接触すると、電流の流れが提供される。
【００２４】
電流は、創傷滲出液を介して、第１の軟膏と第２の軟膏の間を流れることができる。いくつかの態様では、電流は、第１の軟膏を第２の軟膏に接続する金属ワイヤを介して、第１の軟膏と第２の軟膏の間を流れることができる。他の態様では、電流は、第２の軟膏に接触する第１の軟膏を介して、第１の軟膏と第２の軟膏の間を流れることができる。第１の軟膏の電解質、第２の軟膏の電解質、第１の軟膏の陽極３０４、第２の軟膏の陰極３０６、および創傷は、陽極３０４と陰極３０６の間に、創傷を通るように意図された方向で、創傷を介して電流を流れるようにする。
【００２５】
接着剤層３０８は、パッド３０２に取り付けられ、軟膏３００を含む粘着性包帯を皮膚に接着することができる。接着剤層３０８は、シート及び接着剤を含むことができる。いくつかの態様では、接着剤層３０８の接着剤は、シートの一方側に配置される。他の態様では、接着剤は、シートの両側に配置される。接着剤は、アクリレートなどの材料を含むことができる。シートは、織物、プラスチック、ラテックスストリップなどを含むことができる。さらに、接着剤層３０８は、接着剤を含む接着剤層３０８の側面（単数又は複数）に取り外し可能な被覆を含むことができる。取り外し可能なカバーは、コート紙、プラスチックなどを含むことができる。
【００２６】
本開示の特定の態様では、１を超える接着剤層３０８がパッド３０２に取り付けられる。例えば、第１の接着剤層３０８は、パッド３０２の第１の端部に取り付けられ、第２の接着剤層３０８は、第１の端部と対向するパッド３０２の第２の端部に接続される。１を超える接着剤層３０８を利用して、軟膏３００を含む粘着性包帯の皮膚への接着安定性を促進することができる。
【００２７】
図４は、特定の態様による金属ワイヤを含む粘着性包帯の例示的な図である。金属ワイヤ４００を含む粘着性包帯は、パッド４０２、陽極４０４、陰極４０６、および接着剤層４０８を含む。パッド４０２は、パッド４０２に配置された１つ以上の陽極４０４および１つ以上の陰極４０６を含むことができる。パッド４０２は、少なくとも１つの接着剤層４０８に取り付けることができる。パッド４０２は、皮膚創傷、皮膚生検などを覆うように創傷に配置することができる。パッド４０２は、金属ワイヤ４００を含む粘着性包帯を皮膚に接着させるために接着剤層４０８を利用することができる。パッド４０２は、ガーゼ、メッシュ、スポンジ、目の粗い織物、および既知の外科用包帯の任意の組み合わせを含むことができる。本開示の特定の態様において、パッド４０２は、緩く織られた綿からなり、医療用包帯として使用されている。例えば、パッド４０２はガーゼパッドであってもよい。別の例では、パッド４０２は、ガーゼの所定の部分を有するガーゼのロールであり得て、ガーゼの各セクションは、１つ以上の陽極４０４および１つ以上の陰極４０６を含む。ガーゼのロールは、各所望のセクションの始めと終わりの視覚的補助を提供するためのミシン目を含むことができる。パッド４０２は、創傷の包帯を提供し、創傷に付着する。
【００２８】
陽極４０４および陰極４０６は、金属ワイヤ４００を含む粘着性包帯のパッド４０２で別個の位置に配置される。陽極４０４は、１つ以上の陽極４０４であり得て、パッド４０２の特定の位置に固定され得る。陰極４０６は、１つ以上の陰極４０６であり得て、パッド４０２の特定の位置に固定され得る。陽極４０４および陰極４０６は、創傷に接触して配置されて、創傷を通るように意図された方向で電流の流れを提供することができる。電流の流れは、陽極４０４および陰極４０６の固定された別個の位置に基づいて導くことができる。電流は、創傷を通って陽極４０４と陰極４０６の間を流れることができる。創傷を通る電流の流れは、創傷の皮膚への電流の適用による創傷の改善された治癒を引き起こし得る。例えば、陽極４０４と陰極４０６の間の電流の流れによる創傷の電気刺激は、創傷の幹細胞を移動させ、より容易に分裂させ、より速い速度で分化させて、創傷の治癒を改善することができる。
【００２９】
陽極２０４と陰極２０６は、それぞれ金属材料を含むことができる。陽極２０４の金属材料は、陰極２０６の金属材料とは異なる。本開示の特定の態様において、陽極４０４および陰極４０６は、パッド４０２の中間層によって分離される２つの別個の種類の金属ワイヤを介してパッド４０２に織り込まれる。創傷は、創傷の表面から滲出する流体を介して２つの別個の種類の金属ワイヤを接続することができる。創傷の表面から滲出する流体は、２つの別個の種類の金属ワイヤ間の回路を完成させることができ、陽極４０４（単数又は複数）を含む第１の種類の金属ワイヤと、陰極４０６（単数又は複数）を含む第２の種類の金属ワイヤの間に電流の流れを提供することができる。
【００３０】
２つの種類の別個の金属ワイヤは、ランダムな、対称パターン、非対称パターンなどの位置でパッド２０２に織り込むことができる。例えば、陽極４０４は、円形パターンでパッド４０２に第１の種類の金属ワイヤとして提供され得る。陰極４０６は、陽極４０４の内側境界内の円形パターンでパッド４０２に第２の種類の金属線として提供され得る。第１の種類の金属ワイヤの各金属ワイヤは、パッド４０２の部分によって互いに分離され得る。したがって、各第１の種類の金属ワイヤは、他の第１の種類の金属ワイヤとは異なる位置に固定される。第２の種類の金属ワイヤの各金属ワイヤは、パッド４０２の部分によって互いに分離することができる。したがって、各第２の種類の金属ワイヤは、他の第２の種類の金属ワイヤとは異なる位置に固定される。さらに、第１の種類の金属ワイヤは、第２の種類の金属ワイヤに直接接触しない。
【００３１】
別の例では、陽極４０４は、パッド４０２の第１の端部の長さに沿ったラインで、第１の種類の金属ワイヤとして提供することができる。陰極４０６は、第１の端部と対向する、パッド４０２の第２の端部の長さに沿ったラインで、第２の種類の金属ワイヤとして提供することができる。第１の種類の金属ワイヤの各金属ワイヤは、パッド４０２の部分によって互いに分離することができる。したがって、各第１の種類の金属ワイヤは、他の第１の種類の金属ワイヤとは異なる位置に固定される。第２の種類の金属ワイヤの各金属ワイヤは、パッド４０２の部分によって互いに分離することができる。したがって、各第２の種類の金属ワイヤは、他の第２のタイプの金属ワイヤとは異なる位置に固定される。第１の種類の金属ワイヤのラインは、パッド４０２の部分によって第２の種類の金属ワイヤのラインから分離される。次に、第１の種類の金属ワイヤと第２の種類の金属ワイヤが、両方とも、創傷から滲出する流体と接触しているが、互いに接触していない場合に、電流の流れが提供される。創傷から滲出する流体、陽極４０４（単数又は複数）を含む第１の種類の金属ワイヤ、および陰極４０６を含む第２の種類の金属ワイヤは、陽極４０４（単数又は複数）と陰極４０６（単数又は複数）の間の創傷を通るように意図された方向で創傷を通じて電流を流すことができる。
【００３２】
接着剤層４０８は、パッド４０２に取り付けられ、軟膏４００を含む粘着性包帯を皮膚に接着することができる。接着剤層４０８は、シート及び接着剤を含むことができる。いくつかの態様では、接着剤層４０８の接着剤は、シートの一方側に配置される。他の態様では、接着剤は、シートの両側に配置される。接着剤は、アクリレートなどの材料を含むことができる。シートは、織物、プラスチック、ラテックスストリップなどを含むことができる。さらに、接着剤層４０８は、接着剤を含む接着剤層４０８の側面（単数又は複数）に取り外し可能な被覆を含むことができる。取り外し可能なカバーは、コート紙、プラスチックなどを含むことができる。
【００３３】
本開示の特定の態様では、１を超える接着剤層４０８がパッド４０２に取り付けられる。例えば、第１の接着剤層は、パッド４０２の第１の端部に取り付けられ、第２の接着剤層は、第１の端部と対向するパッド４０２の第２の端部に接続される。１を超える接着剤層４０８を利用して、軟膏４００を含む粘着性包帯の皮膚への接着安定性を促進することができる。
【００３４】
１つ以上の陽極１０４と１つ以上の陰極１０６を含むパッド１０２は、創傷に電流を印加して、創傷の治癒を改善する。パッド１０２は、接着剤層３０２を含むことができ、そのため、パッドは、粘着性包帯３００として創傷に適用することができる。パッド１０２は、電池および接続ワイヤの不都合なく電気刺激の利点を提供する。したがって、パッド１０２は、電気刺激による創傷治癒の利用を妨げていた電池および接続ワイヤの不都合を否定する。異なる金属イオンの特性、ならびに創傷自体の特性を利用する際に、パッド１０２は、皮膚創傷、皮膚生検部位などを治療するために改善された創傷治癒を提供する。
【００３５】
記載された構成要素は、限定されないが、本開示の例示的な態様に交換可能に置換され得る。したがって、パッド１０２は、交換可能に、パッド２０２、パッド３０２及び／又はパッド４０２であってもよい。陽極１０４は、陽極２０４、陽極３０４および／または陽極４０４と交換可能にすることができる。陰極１０６は、陰極２０６、３０６および／または陰極４０６と交換可能にすることができる。接着剤層３０８は、交換可能に接着剤層４０８とすることができる。
【００３６】
多くの実施形態が説明されている。それにもかかわらず、本開示の精神および範囲から逸脱することなく、様々な変更がなされ得ることが理解される。例えば、開示された技術のステップが異なる順序で実施される場合、開示されたシステムの構成要素が異なる方法で組み合わせられた場合、または構成要素が他の構成要素によって置換若しくは補足された場合に好ましい結果が達成されることがある。したがって、他の実施態様は、請求され得る範囲内である。
【００３７】
（１）電気刺激による創傷治癒用パッドであって、創傷上に配置されるように構成されたパッド；前記創傷に接触するように前記パッド上に配置された少なくとも１つの陽極；及び前記創傷に接触するように前記パッド上に配置された少なくとも１つの陰極であって、少なくとも１つの陽極とは別個に配置されている少なくとも１つの陰極を含み、ここで、前記少なくとも１つの陽極と前記少なくとも１つの陰極は、前記創傷と接触して、前記少なくとも１つの陽極と前記少なくとも１つの陰極の別々の位置に基づいて創傷を通るように意図された方向で電流を提供する上記パッド。
【００３８】
（２）パッドが、ガーゼパッド及びガーゼロールのうちの少なくとも１つを含む、（１）に記載の電気刺激による創傷治癒用パッド。
【００３９】
（３）前記少なくとも１つの陽極と前記少なくとも１つの陰極は、２つ以上の別個の軟膏に別々に浸される、（１）又は（２）に記載の電気刺激による創傷治癒用パッド。
【００４０】
（４）２つ以上の軟膏が、スルファジアジン銀クリーム及びカラミンローションを含む、（１）〜（３）のいずれかに記載の電気刺激による創傷治癒用パッド。
【００４１】
（５）スルファジアジン銀クリームが、１％スルファジアジン銀クリームを含む、（１）〜（４）のいずれかに記載の電気刺激による創傷治癒用パッド。
【００４２】
カラミンローションが、所定量の酸化亜鉛及び所定量の酸化鉄を含む、（１）〜（５）のいずれかに記載の電気刺激による創傷治癒用パッド。
【００４３】
（７）少なくとも１つの陽極と前記少なくとも１つの陰極が、２つ以上の異なる金属ワイヤを介して前記パッド内に織り込まれている、（１）〜（６）のいずれかに記載の電気刺激による創傷治癒用パッド。
【００４４】
（８）電気刺激による創傷治癒用の粘着性包帯であって、創傷上に配置されるように構成されたパッド；前記創傷に接触するように前記パッド上に配置された少なくとも１つの陽極；前記創傷に接触するように前記パッド上に配置された少なくとも１つの陰極であって、少なくとも１つの陽極とは別個に配置されている少なくとも１つの陰極、ここで、前記少なくとも１つの陽極と前記少なくとも１つの陰極は、前記創傷と接触して、前記少なくとも１つの陽極と前記少なくとも１つの陰極の別々の位置に基づいて創傷を通るように意図された方向で電流を提供する；及び前記バッドに取り付けられ、皮膚に接着するように構成された少なくとも１つの接着層を含む。
【００４５】
（９）前記パッドが、ガーゼパッド及びガーゼロールのうちの少なくとも１つを含む、（８）に記載の電気刺激による創傷治癒用の粘着性包帯。
【００４６】
（１０）前記少なくとも１つの陽極と前記少なくとも１つの陰極は、２つ以上の軟膏に別々に浸される、（８）または（９）のいずれかに記載の電気刺激による創傷治癒用の粘着性包帯。
【００４７】
（１１）前記２つ以上の軟膏が、スルファジアジン銀クリーム及びカラミンローションを含む、（８）〜（１０）のいずれか１つに記載の電気刺激による創傷治癒用の粘着性包帯。
【００４８】
（１２）前記スルファジアジン銀クリームが、１％スルファジアジン銀クリームを含む、（８）〜（１１）のいずれか１つに記載の電気刺激による創傷治癒用の粘着性包帯。
【００４９】
（１３）前記カラミンローションが、所定量の酸化亜鉛及び所定量の酸化鉄を含む、（８）〜（１１）のいずれか１つに記載の電気刺激による創傷治癒用の粘着性包帯。
【００５０】
（１４）前記少なくとも１つの陽極と前記少なくとも１つの陰極が、２つ以上の異なる金属ワイヤを介して前記パッド内に織り込まれている、（８）〜（１３）のいずれか１つに記載の電気刺激による創傷治癒用の粘着性包帯。
【図１】
2020199271.tif 000003
【図２】
2020199271.tif 000004
【図３】
2020199271.tif 000005
【図４】
2020199271.tif 000006
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
電気刺激による創傷治癒用パッドであって、
創傷上に配置されるように構成されたパッド；
前記創傷に接触するように前記パッド上に配置された少なくとも１つの陽極；及び
前記創傷に接触するように前記パッド上に配置された少なくとも１つの陰極であって、少なくとも１つの陽極とは別個に配置されている少なくとも１つの陰極
を含み、ここで、前記少なくとも１つの陽極と前記少なくとも１つの陰極は、前記創傷と接触して、前記少なくとも１つの陽極と前記少なくとも１つの陰極の別々の位置に基づいて創傷を通るように意図された方向で電流を提供し、
前記少なくとも１つの陽極と前記少なくとも１つの陰極が、２つ以上の異なる金属ワイヤを介して前記パッド内に織り込まれている上記パッド。
【請求項２】
前記パッドが、ガーゼパッド及びガーゼロールのうちの少なくとも１つを含む、請求項１に記載の電気刺激による創傷治癒用パッド。
【請求項３】
前記少なくとも１つの陽極と前記少なくとも１つの陰極は、２つ以上の別個の軟膏に別々に浸される（ｄｅｐｏｓｉｔ）、請求項１に記載の電気刺激による創傷治癒用パッド。
【請求項４】
前記２つ以上の軟膏が、スルファジアジン銀クリーム及びカラミンローションを含む、請求項３に記載の電気刺激による創傷治癒用パッド。
【請求項５】
前記スルファジアジン銀クリームが、１％スルファジアジン銀クリームを含む、請求項４に記載の電気刺激による創傷治癒用パッド。
【請求項６】
前記カラミンローションが、所定量の酸化亜鉛及び所定量の酸化鉄を含む、請求項４に記載の電気刺激による創傷治癒用パッド。
【請求項７】
電気刺激による創傷治癒用の粘着性包帯であって、
創傷上に配置されるように構成されたパッド；
前記創傷に接触するように前記パッド上に配置された少なくとも１つの陽極；
前記創傷に接触するように前記パッド上に配置された少なくとも１つの陰極であって、少なくとも１つの陽極とは別個に配置されている少なくとも１つの陰極；及び
前記パッドに取り付けられ、皮膚に接着するように構成された少なくとも１つの接着層
を含み、ここで、前記少なくとも１つの陽極と前記少なくとも１つの陰極は、前記創傷と接触して、前記少なくとも１つの陽極と前記少なくとも１つの陰極の別々の位置に基づいて創傷を通るように意図された方向で電流を提供し、
前記少なくとも１つの陽極と前記少なくとも１つの陰極が、２つ以上の異なる金属ワイヤを介して前記パッド内に織り込まれている上記粘着性包帯。
【請求項８】
前記パッドが、ガーゼパッド及びガーゼロールのうちの少なくとも１つを含む、請求項７に記載の電気刺激による創傷治癒用の粘着性包帯。
【請求項９】
前記少なくとも１つの陽極と前記少なくとも１つの陰極が、２つ以上の別個の軟膏に別々に浸される、請求項７に記載の電気刺激による創傷治癒用の粘着性包帯。
【請求項１０】
前記２つ以上の軟膏が、スルファジアジン銀クリーム及びカラミンローションを含む、請求項９に記載の電気刺激による創傷治癒用の粘着性包帯。
【請求項１１】
前記スルファジアジン銀クリームが、１％スルファジアジン銀クリームを含む、請求項１０に記載の電気刺激による創傷治癒用の粘着性包帯。
【請求項１２】
前記カラミンローションが、所定量の酸化亜鉛及び所定量の酸化鉄を含む、請求項１０に記載の電気刺激による創傷治癒用の粘着性包帯。
【外国語明細書】
2020199271000001.pdf